(57)【特許請求の範囲】
【請求項１】
賞球払出装置から排出された遊技球が払い出される供給皿を遊技機本体の前面に設けるとともに、該供給皿から溢れた遊技球を貯留する貯留皿を該供給皿よりも低位置で該供給皿と隣接するように遊技機本体の前面に設けた遊技機において、遊技球を整列させて流下させる傾斜通路を供給皿の底面から貯留皿に至る直線状に形成し、該傾斜通路の途中に操作レバーによって該傾斜通路を開閉可能にするゲート板を設け、該ゲート板の直前の傾斜通路の側面に球供給装置の球供給口を開設し、該球供給口に該傾斜通路の内面と略面一となるように球供給装置の球送り部材を配置し、該ゲート板に当接した遊技球を該球送り部材にも当接させることで該遊技球が傾斜通路上にて待機するようにしたことを特徴とする遊技機の球受皿に設けられる球抜装置。
【請求項２】
賞球払出装置から排出された遊技球が払い出される供給皿を遊技機本体の前面に設けるとともに、該供給皿から溢れた遊技球を貯留する貯留皿を該供給皿よりも低位置で該供給皿と隣接するように遊技機本体の前面に設けた遊技機において、遊技球を整列させて流下させる傾斜通路を供給皿の底面から貯留皿に至る直線状に形成し、該傾斜通路の途中に操作レバーによって該傾斜通路を開閉可能にするゲート板を設け、該ゲート板の直前の傾斜通路の側面に球供給装置の球供給口を開設し、該ゲート板に当接した遊技球を該球供給口に先に流入している遊技球にも当接させることで傾斜通路上にて待機するようにしたことを特徴とする遊技機の球受皿に設けられる球抜装置。
【請求項３】
ゲート板の前面に該ゲート板に当接する遊技球を球供給口に向けさせる指向部を形成したことを特徴とする請求項１または２に記載した遊技機の球受皿に設けられる球抜装置。
【請求項４】
ゲート板は操作レバーを操作することにより傾斜通路上で上下動し該傾斜通路を開閉するものであり、該ゲート板には球供給口の下辺部に延びる球戻片を一体的に形成したことを特徴とする請求項１〜３のいずれかに記載した遊技機の球受皿に設けられる球抜装置。
【請求項５】
賞球払出装置から排出された遊技球が払い出される供給皿を遊技機本体の前面に設けるとともに、該供給皿から溢れた遊技球を貯留する貯留皿を該供給皿よりも低位置で該供給皿と隣接するように遊技機本体の前面に設けた遊技機において、遊技球を整列させて流下させる傾斜通路を供給皿から貯留皿に至る直線状に形成すると共に、該傾斜通路の途中に路面が段状に低下する段部を形成し、該段部に操作レバーによって該段部を開閉可能にするゲート板を設け、該ゲート板の上部であって傾斜通路の側面に球供給装置の球供給口を開設し、該球供給口に球供給装置の球送り部材を配置し、該ゲート板を閉じたとき該ゲート板上にて遊技球が該球送り部材に当接して待機するようにしたことを特徴とする遊技機の球受皿に設けられる球抜装置。
【発明の詳細な説明】
【技術分野】
【０００１】
この発明は、遊技媒体としてパチンコ球等の遊技球を使用する遊技機において、前面の球受皿に設けられる球抜装置の構成に関するもので、さらに詳しくは、２つの球受皿が上下段に設けられた遊技機において、その上段の球受皿にある遊技球を下段の球受皿に移動させる際に操作する球抜装置に関するものである。
【背景技術】
【０００２】
パチンコ球等の遊技球を遊技媒体とするパチンコ遊技機，雀球遊技機、或いはパチンコ球を遊技媒体とするスロットマシン（パロットと称される）等の遊技機では、遊技者に賞として払い出す遊技球を受けると共に該遊技球を一列に揃えて打球発射部や遊技球計数部に供給するための球受皿（上皿とも称されるが、以下「供給皿」という。）と、該供給皿から溢れた遊技球を貯留するための球受皿（下皿とも称されるが、以下「貯留皿」という。）とが周知のように遊技機の前面にそれぞれ上下段に設けられ、該供給皿には打球発射装置に連なる球供給装置に遊技球を一列に整列させて送るための傾斜通路が形成されている。
【０００３】
一方、昨今のパチンコ遊技機は、遊技盤に液晶表示器等の大型のディスプレイが設けられることから、遊技盤をなるべく大きくする必要があり、そのために上記供給皿と貯留皿との高さの差が従来のように大きく採れなくなってきている。このため、下記特許文献１，２に示されたように、遊技機の前面に供給皿と貯留皿とを隣接状に設けたものが知られている。
【特許文献１】特開２００２−２４８２４７号公報
【特許文献２】特開平８−２５２３７１号公報
【特許文献３】特許第３２６３５９１号公報
【特許文献４】特許第３２６３６０６号公報
【発明の開示】
【発明が解決しようとする課題】
【０００４】
このように２つの球受皿を有する遊技機では、従来から例えば遊技を終えようとする場合に遊技者が摘子操作することにより供給皿の遊技球を貯留皿に移動、即ち、球抜きできるようにしている。しかし、従来の球抜装置は、例えば上記特許文献３，４に示されたように、供給皿の遊技球を貯留皿に導くための傾斜通路が平面屈曲状に形成され、その屈曲部に打球発射装置へ遊技球を一個ずつ供給するための周知の球送り部材を有した球供給装置を設けたものであったので、供給皿の遊技球がこの屈曲状に折れ曲がった傾斜通路を通って流下するものであった。このため流下速度が遅く、最後の１個の遊技球が貯留皿に出てくるまでに時間が掛かり、遊技を早く終えたいと思っている遊技者にとっては、非常にじれったく感じられるという問題があった。
この発明は上記のような問題点を解消し得る球抜装置を提供しようとするものである。
【課題を解決するための手段】
【０００５】
そのために請求項１に記載した発明は、賞球払出装置から排出された遊技球が払い出される供給皿を遊技機本体の前面に設けるとともに、該供給皿から溢れた遊技球を貯留する貯留皿を該供給皿よりも低位置で該供給皿と隣接するように遊技機本体の前面に設けた遊技機において、遊技球を整列させて流下させる傾斜通路を供給皿の底面から貯留皿に至る直線状に形成し、該傾斜通路の途中に操作レバーによって該傾斜通路を開閉可能にするゲート板を設け、該ゲート板の直前の傾斜通路の側面に球供給装置の球供給口を開設し、該球供給口に該傾斜通路の内面と略面一となるように球供給装置の球送り部材を配置し、該ゲート板に当接した遊技球が該球送り部材にも当接することで該遊技球が傾斜通路上にて待機するようにしたことを特徴とする。
また請求項２に記載した発明は、賞球払出装置から排出された遊技球が払い出される供給皿を遊技機本体の前面に設けるとともに、該供給皿から溢れた遊技球を貯留する貯留皿を該供給皿よりも低位置で該供給皿と隣接するように遊技機本体の前面に設けた遊技機において、遊技球を整列させて流下させる傾斜通路を供給皿の底面から貯留皿に至る直線状に形成し、該傾斜通路の途中に操作レバーによって該傾斜通路を開閉可能にするゲート板を設け、該ゲート板の直前の傾斜通路の側面に球供給装置の球供給口を開設し、該ゲート板に当接した遊技球が該球供給口に先に流入している遊技球にも当接することで傾斜通路上にて待機するようにしたことを特徴とする。
また請求項３に記載した発明は、上記球抜装置において、ゲート板の前面に該ゲート板に当接する遊技球を球供給口に向けさせる指向部を形成したことを特徴とする。
また請求項４に記載した発明は、上記球抜装置において、ゲート板は操作レバーを操作することにより傾斜通路上で上下動し該傾斜通路を開閉するものであり、該ゲート板には球供給口の下辺部に延びる球戻片を一体的に形成したことを特徴とする。
また請求項５に記載した発明は、賞球払出装置から排出された遊技球が払い出される供給皿を遊技機本体の前面に設けるとともに、該供給皿から溢れた遊技球を貯留する貯留皿を該供給皿よりも低位置で該供給皿と隣接するように遊技機本体の前面に設けた遊技機において、遊技球を整列させて流下させる傾斜通路を供給皿から貯留皿に至る直線状に形成すると共に、該傾斜通路の途中に路面が段状に低下する段部を形成し、該段部に操作レバーによって該段部を開閉可能にするゲート板を設け、該ゲート板の上部であって傾斜通路の側面に球供給装置の球供給口を開設し、該球供給口に球供給装置の球送り部材を配置し、該ゲート板を閉じたとき該ゲート板上にて遊技球が該球送り部材に当接して待機するようにしたことを特徴とする。
【発明の効果】
【０００６】
この発明によれば、供給皿の遊技球を貯留皿に短時間でスムースに球抜きでき、球抜きに必要な待ち時間が短くなるので、遊技者の便宜が図れる。また、前板の前面に直線状に傾斜通路を形成することで小型にでき、狭い空間を有効利用できるようになる。
【実施例１】
【０００７】
次に請求項１および請求項３に記載した発明の実施例をパチンコ遊技機について図面に従い説明する。図１はパチンコ遊技機を前方から見た斜視図で、１は遊技機本体、２はこの遊技機本体の前面にヒンジ３によって開閉可能に枢着された前板である。前板２には、上半部に遊技盤４を透過視認するための透明板５を保持する枠体６が形成され、下部右隅には打球発射ハンドル７が装着される。８，９は隔壁１０によって左右に仕切ることにより隣り合うように前板２の前面に形成された供給皿と貯留皿で、貯留皿９はその底壁面は供給皿８の底壁面よりも低位置となるように高さが設定されている。１１は供給皿８の一側壁に開口する球放出口で、遊技機本体内に設けられた賞球払出装置（図示省略）から排出される遊技球が該球放出口より供給皿８に払い出される。また、１２は貯留皿９の一側壁に開口する球放出口で、供給皿８が遊技球で満杯になると、賞球払出装置から排出された遊技球は該球放出口から該貯留皿９に払い出されるようになる。また、図２にも示されるように、１３は貯留皿９の底壁に形成された排出孔、１４は該排出孔を遊技者が開閉操作し得るように設けられた摘子で、排出孔１３の下に持ち運び用の球箱（図示省略）を置いて摘子１４を操作することにより、貯留皿９中の遊技球をその球箱に移すことができる。１５は前板２の前面に設けられた貸球要求操作用等の押ボタンスイッチ群である。
【０００８】
また、前記隔壁１０の一端は前板２の前面と平行となるように延長され、その延長壁部１６と前板２前面との間隔に供給皿８の底面から貯留皿９に至る直線状であって遊技球を１列に整列させて流下させる傾斜通路２０が緩やかな下傾状なるように形成される。（図３参照）。２１は貯留皿９に開口する該傾斜通路２０の下端開口部を示す。また、２２は該傾斜通路２０を開閉するために設けられた操作レバーである。操作レバー２２は、延長壁部１６の内面に突設された支軸２３に回転自在に設けられる。
【０００９】
２４は延長壁部１６の内側に支持部２５を形成し該支持部によって上下動可能に支持されたゲート板で、該ゲート板の上端に二股状の係合部２６が形成され、該係合部に操作レバー２２の内端部２７を係合させている。このため該操作レバー２２を回転操作するとゲート板２４が傾斜通路２０上で上下動し、該傾斜通路２０を開閉できる。（その開状態を図６に示す）。２８はゲート板２４の直前の傾斜通路２０の側面に開設された球供給口である。ゲート板２４は図５に単独で示したように該ゲート板に当接する遊技球を該球供給口２８に向けさせるため内周縁を円弧状に湾曲させた指向部２４ａを前面に形成してなる。該球供給口２８は球供給装置２９を経て遊技球を打球発射装置３０に供給するために傾斜通路２０の側面に開設されるもので、該球供給装置２９は周知のようにソレノイド３１により反復回転動するよう球送り部材３２が該装置ケース体内に軸支されており、該球送り部材が反復回転動することにより供給路３３を経て遊技球を一個ずつ打球発射装置３０に供給できるものである。そして、球送り部材３２を図４に示したように球供給口２８に傾斜通路２０の側壁内面と略面一となるように配置することにより、打球発射をしてないときにゲート板２４に当接した遊技球Ｐが球送り部材３２にも当接することで傾斜通路２０上に待機するようにしている。
【００１０】
このため、操作レバー２２を押し下げることによりゲート板２４を上動させ、図６に示したように、該ゲート板２４を開ければ、傾斜通路２０上に待機していた遊技球Ｐは該ゲート板２４による支持を失い球送り部材３２から離れ傾斜通路２０を流下し球放出口１２より貯留皿９に放出される。この傾斜通路２０は供給皿８の底面から貯留皿９に至る直線状に形成されているので、ゲート板２４を開けることにより供給皿８中の遊技球を高速で貯留皿９に球抜きすることができる。なお、ゲート板２４を閉じたとき先頭の遊技球Ｐはゲート板２４にも球送り部材３２にも当接して傾斜通路２０上にて待機していることから、打球が発射され球送り部材３２が反復動したときは球供給口２８に流入して打球発射装置３０に供給される。また、ゲート板２４を開ければ該遊技球Ｐは上記のように球供給口２８に流入することなく貯留皿９に球抜きされ、後続する遊技球も直進することにより高速で貯留皿９に球抜きされる。
また、傾斜通路２０は前板２の前面に直線状に設けられるので、従来のように前板２の後側空間を専有することなく前板２の後側空間を有効利用することができる。
【００１１】
この実施例に示したように供給皿８と貯留皿９とを左右に配置することにより、両球受皿に要する高低差を小さくすることができ、遊技盤をなるべく大きくし大型のディスプレイを設置する余裕ができると共に、下段の貯留皿９の上方が開放されるので、貯留皿９に遊技球を移し替えるために遊技者の手が差し入れ易いようにすることができる。また、前記隔壁１０を低めに形成することにより、遊技者が必要に応じて手で貯留皿９にある遊技球を隔壁１０を乗り越えて供給皿８に押し流すことができるようにすることも可能である。
【実施例２】
【００１２】
次に請求項２および請求項３に記載した発明の実施例を説明する。この実施例は図７に示したように、球送り部材３２と球供給口２８との間に該球送り部材３２に当接して遊技球Ｐ１，Ｐ２が待機しているようにし、その後側の遊技球Ｐ２が該球供給口２８と面一に待機することで、これに後続する遊技球Ｐが丁度傾斜通路２０上にて待機し得るように構成したもので、この場合はゲート板２４を開けることにより、遊技球Ｐおよびこれに後続する遊技球を高速で貯留皿９に球抜きすることができる。なお、すでに球供給口２８に流入している遊技球Ｐ１，Ｐ２については打球発射装置３０を作動させ発射することができるので遊技に支障を及ぼすようなことはない。その他の構成は実施例１と同様であるので、図６に同一符号を付すことにより説明を省略する。
【実施例３】
【００１３】
一方、請求項４に記載した発明は、図８にゲート板２４を単独で示したように、ゲート板２４の下縁部の一端に球供給口２８の下辺部方向に水平に延びる軸状の球戻片２４ｂを一体に形成したもので、該球戻片２４ｂはゲート板２４を閉じているときは球供給口２８への球流入の邪魔とならないように該球供給口２８の下辺部に沈下し、ゲート板２４を開くべく上動させたときに該球戻片２４ｂが球送り部材３２と遊技球Ｐとの間に介在して該遊技球Ｐを球送り部材３２から積極的に離間させる。これにより該遊技球Ｐを球供給口２８に流入することなく貯留皿９に球抜きできるようにしている。その他の構成は上記実施例１と同様である。
【実施例４】
【００１４】
次に請求項５に記載した発明の実施例を図９〜図１２に従い説明する。この実施例は、遊技球を整列させて流下させる傾斜通路２０を供給皿８から貯留皿９に至る直線状に形成すると共に、該傾斜通路の途中に路面が段状に低下する段部４０を形成し、該段部の内壁面に略水平の長孔４１を形成し、このスリットからゲート板２４を該段部内に突出させると共に、ゲート板２４と一体のラック歯４２を形成し、支軸４３に回転自在に設けられた操作レバー２２の内端部に該ラック歯４２と噛合する円弧状歯車４４を形成し、該操作レバー２２を回転操作することでゲート板２４が略水平に進退動し段部４０を開閉可能なるようにしている。なお、図１０に示されように段部４０の天井部は該傾斜通路に沿って段状に低下した垂下面４５が形成される。そして、ゲート板２４の上部であって傾斜通路２０の側面に球供給装置２９の球供給口２８を開設し、該球供給口に該球供給装置の球送り部材３２を配置し、ゲート板２４を閉じたとき該ゲート板上にて遊技球Ｐが該球送り部材に当接して待機するようにしている。なお、ゲート板２４上にて待機している遊技球Ｐが球送り部材３２に当接するように、該ゲート板２４の上面を球送り部材３２側に少し傾く傾斜面状に形成するのがよい。その他、実施例１と同一符号は同一部分または相当部分を示す。
【００１５】
このため、打球発射装置３０によって遊技球が発射され球送り部材３２が反復動したときはゲート板２４上にて待機していた遊技球Ｐは球供給口２８に流入し打球発射装置３０に供給される。一方、遊技者が操作レバー２２を回転操作し、図１２に示したように、ゲート板２４を開けたときは遊技球Ｐは段部４０に落下し、球放出口１２より貯留皿９に放出される。そしてこの場合も傾斜通路２０は供給皿８の底面から貯留皿９に至る直線状に形成されているので、ゲート板２４を開けることにより供給皿８中の遊技球を短時間でスムースに貯留皿９に球抜きすることができ、遊技者にとって球抜きに必要な待ち時間を短くすることができる。
【産業上の利用可能性】
【００１６】
なお、この発明は上記実施例に示したパチンコ遊技機に限らず、パチンコ球等の遊技球を遊技媒体とする雀球遊技機、スロットマシン等の遊技機の球受皿に設けられる球抜装置にも同様に適用することができる。
【図面の簡単な説明】
【００１７】
【図１】この発明に係る遊技機の斜視図。
【図２】この発明に係る遊技機の要部の水平断面図。
【図３】図２のＡ−Ａ線断面図。
【図４】図２のＢ−Ｂ線断面図。
【図５】図３のゲート板の斜視図。
【図６】図３の作動状態図。
【図７】この発明の他の実施例を示す遊技機の要部の縦断面図。
【図８】この発明の他の実施例を示すゲート板の斜視図。
【図９】この発明の他の実施例を示す遊技機の要部の水平断面図。
【図１０】図９のＣ−Ｃ線断面図。
【図１１】図９のＤ−Ｄ線断面図。
【図１２】図１０の作動状態図。
【符号の説明】
【００１８】
１        遊技機本体
２        前板
８        供給皿
９        貯留皿
２０      傾斜通路
２２      操作レバー
２４      ゲート板
２４ａ    指向部
２４ｂ    球戻片
２８      球供給口
２９      球供給装置
３０      打球発射装置
３２      球送り部材
４０      段部
Ｐ        遊技球
【図１】
0004698325.tif 000002
【図２】
0004698325.tif 000003
【図３】
0004698325.tif 000004
【図４】
0004698325.tif 000005
【図５】
0004698325.tif 000006
【図６】
0004698325.tif 000007
【図７】
0004698325.tif 000008
【図８】
0004698325.tif 000009
【図９】
0004698325.tif 000010
【図１０】
0004698325.tif 000011
【図１１】
0004698325.tif 000012
【図１２】
0004698325.tif 000013